(57)【要約】本発明は、ハウジング（４）とこれに取り付けられるロータ（３）を有する回転錠シリンダに関する。さらに、組み合わせに影響するタンブラ（５，２３）はそれぞれ、コアピン（６，２６）と、ハウジングピン（７，２５）と、前記ロータ（３）に統合されるキー溝（１１）と有する。前記タンブラ（５，２３）は、前記セキュリティ・キー（１）を挿入することによって、前記キー溝（１１）で配列される。前記少なくとも２つのタンブラ（５，２３）は前記セキュリティ・キー（１）により機械的に制御され、その結果半径方向に異なる方向に配列される。本発明によると、前記タンブラの少なくとも１つ（５）は、好ましくは、配列のために前記セキュリティ・キー（１）により前記キー溝（１１）の方へ引っ張られる。さらに、本発明によると、前記少なくとも１つのタンブラ（５）は、好ましくは、前記セキュリティ・キー（１）の前方キー先端部（１０）によってつかまれて配列される。【選択図】図３
2014527132.tif 000002
【特許請求の範囲】
【請求項１】
回転錠シリンダとセキュリティ・キーであって、前記回転錠シリンダ（２）が、ハウジング（４）とこれに取り付けられるロータ（３）と、組み合わせに影響しそれぞれコアピン（６，２６）とハウジングピン（７，２５）を有する少なくとも２つのタンブラと、前記ロータ（３）に統合されるキー溝（１１）とを有し、前記セキュリティ・キー（１）を前記キー溝（１１）に押し込むことによって少なくとも２つのタンブラ（５，２３）を整列させる回転錠シリンダ及びセキュリティ・キーにおいて、前記少なくとも２つのタンブラ（５，２３）を、前記セキュリティ・キー（１）によって機械的に制御して、半径方向に異なる方向に整列させることを特徴とする、回転錠シリンダ及びセキュリティ・キー。
【請求項２】
前記少なくとも２つのタンブラ（２，２３）が、前記ロータ（３）のロータ軸（Ａ）を通って延びる少なくとも１つの共通のラジアル平面、又は複数の異なるラジアル平面（Ｒ１，Ｒ２）にあり、前記ラジアル平面（Ｒ１，Ｒ２）において半径方向に整列されることを特徴とする、請求項１に記載の回転錠シリンダ。
【請求項３】
前記タンブラの少なくとも１つ（５）が、タンブラ（５）を整列させるために、前記セキュリティ・キー（１）によって半径方向内側に引き込まれることを特徴とする、請求項１又は２に記載の回転錠シリンダ。
【請求項４】
前記タンブラ（５，２３）の前記コアピン（６，２６）及び前記ハウジングピン（７，２５）が、それらの中心軸に関して回転対称的に形成されることを特徴とする、請求項１〜３のいずれか１項に記載の回転錠シリンダ。
【請求項５】
前記タンブラの少なくとも１つ（５）を、前記セキュリティ・キー（１）の前方キー先端部（１０）及び／又はキー胴部（９）によりつかんで整列させることを特徴とする、請求項１〜４のいずれか１項に記載の回転錠シリンダ。
【請求項６】
前記タンブラの少なくとも１つ（５）が、前記タンブラ（５）を前記セキュリティ・キー（１）の制御手段により整列させるために、前記セキュリティ・キー（１）により基本位置から半径方向内側へ動かされることを特徴とする、請求項１〜５のいずれか１項に記載の回転錠シリンダ。
【請求項７】
前記セキュリティ・キー（１）が、別個に製造され前記セキュリティ・キー（１）に固定されるキー先端部（１０）を有することを特徴とする、請求項１〜６のいずれか１項に記載の回転錠シリンダ。
【請求項８】
前記キー先端部（１０）が、前記セキュリティ・キー（１）の残りの領域より硬い材料から製造されることを特徴とする、請求項７に記載の回転錠シリンダ。
【請求項９】
前記キー先端部（１０）が、前記セキュリティ・キー（１）の胴部（９）に取り外し可能に固定され、且つ交換可能であることを特徴とする、請求項７又は８に記載の回転錠シリンダ。
【請求項１０】
前記セキュリティ・キー（１）が、リバーシブル・キー又は非リバーシブル・キーであることを特徴とする、請求項１〜９のいずれか１項に記載の回転錠シリンダ。
【請求項１１】
前記セキュリティ・キー（１）が、前記キー先端部（１０）及び／又は前記キー胴部（９）上に、対向する同一の制御手段（２２）を有することを特徴とする、請求項１０に記載の回転錠シリンダ。
【請求項１２】
前記少なくとも１つのタンブラ（５）を整列させるために、前記キー先端部（１０）及び／又は前記キー胴部（９）が、少なくとも１つのラジアルカム（２２）を有し、このカムを用いて前記タンブラ（５）がロック高さまで半径方向内側に移動可能であることを特徴とする、請求項１〜１１のいずれか１項に記載の回転錠シリンダ。
【請求項１３】
前記ラジアルカム（２２）が、前記キー先端部（１０）の前方端部に配置されることを特徴とする、請求項１２に記載の回転錠シリンダ。
【請求項１４】
前記セキュリティ・キー（１）の各エッジ側面に、少なくとも１つのラジアルカム（２２）がそれぞれ配置され、これらラジアルカムが互いと同一に形成されることを特徴とする、請求項１２又は１３に記載の回転錠シリンダ。
【請求項１５】
前記ラジアルカム（２２）が、前記セキュリティ・キー（１）に関し、その側面（３９）の中央に配置されることを特徴とする、請求項１２又は１３に記載の回転錠シリンダ。
【請求項１６】
前記少なくとも１つの半径方向内側に移動可能なタンブラ（５）が、ハウジングピンバネ（２７）及びコアピンバネ（２８）を有し、前記コアピンバネ（２８）は、前記ハウジングピンバネ（２７）より十分に強く、前記コアピンバネ（２８）は、基本位置で前記コアピン（６）を保持し、この基本位置において、前記コアピン（６）の前方端部（３８）が前記キー溝（１１）へ突出することを特徴とする、請求項１〜１５のいずれか１項に記載の回転錠シリンダ。
【請求項１７】
前記セキュリティ・キー（１）が少なくとも１つの狭い側面に溝（２０）を有し、この溝において、前記セキュリティ・キー（１）が前記キー溝（１１）に押し込まれると、前記キー溝（１１）に突出するコアピン（６）の端部（３８）を前記制御面（２２）により制御することができ、特に、前記ロック高さまで引き込むことができることを特徴とする、請求項１〜１６のいずれか１項に記載の回転錠シリンダ。
【請求項１８】
前記溝（２０）が、前記セキュリティ・キー（１）の前方端部又は前記前方端部から距離をおいて、特に前記キー胴部上に配置されることを特徴とする、請求項１７に記載の回転錠シリンダ。
【請求項１９】
前記少なくとも１つのタンブラ（５）の少なくとも１つのコアピン（６）が、前記キー溝（１１）に突出する内側端部（３８）に、制御手段、例えばカラー（２９）を有し、これを用いて、前記コアピン（６）を前記セキュリティ・キー（１）によりつかみ、整列させることができることを特徴とする、請求項１〜１８のいずれか１項に記載の回転錠シリンダ。
【請求項２０】
前記タンブラの少なくとも１つ（５）が、圧縮バネ（２８）と相互作用するコアピン（６）を有し、前記圧縮バネは、前記ロータ（３）及び前記コアピン（６）で支えられ、前記コアピン（６）を基本位置に位置づけ、前記コアピン（６）は、この基本位置にて前記ロータ（３）をブロックすることを特徴とする、請求項１〜１９のいずれか１項に記載の回転錠シリンダ。
【発明の詳細な説明】
【技術分野】
【０００１】
本発明は、回転錠シリンダ及びセキュリティ・キーに関し、前記回転錠シリンダは、ハウジングと、ハウジング内に取り付けられるロータと、組み合わせ（Ｋｏｍｂｉｎａｔｏｒｉｋ）に影響し且つそれぞれがコアピンとハウジングピンとを有するタンブラと、前記ロータ内に統合されるキー溝とを有し、前記キーを前記キー溝に差し込むと前記タンブラが連係される。このような回転錠シリンダでは、コアピン及び／又はハウジングピンを、多部品から形成することもできる。
【背景技術】
【０００２】
回転錠シリンダでは、組み合わせに影響するタンブラが、このタンブラをそれぞれバネの反作用力に逆らって外側に動かすことにより、関連するセキュリティ・キーによって整列される。このような回転錠シリンダは、先行技術、例えば特許文献１に開示されている。この場合、関連のセキュリティ・キーの、タンブラを整列させる制御面は、セキュリティ・キー内の穴である。しかしながら、制御面はまた、他の面、例えば、溝等によって形成される面であってもよい。コアピンがセキュリティ・キーのカム上でガイドされる、いわゆるカム・キーも公知である。制御面を用いて、バネ負荷されたタンブラを１以上の増分（Ｓｔｕｆｅｎｓｐｒｕｅｎｇｅｎ）によりロック高さまで押す。タンブラの全てが整列されると、ロータが解放されて、ロータをセキュリティ・キーで回すことができる。その際、ロックボルトは、通常、伝達機構を介して動かされる。公知のように、このような回転錠シリンダを操作（ｍａｎｉｐｕｌｉｅｒｅｎ）しようとする試みが頻繁になされている。従って、操作に対するセキュリティをどのようにすれば高められるかに関し、多くの提案が存在する。先行技術では、セキュリティ・キーのマグネットにより連係されるブロックピンを有するキーが、例えば特許文献２から公知である。しかしながら、このような回転錠シリンダは、実際に成功したとは照明されていない。さらに、これらは簡単に操作できる。
【先行技術文献】
【特許文献】
【０００３】
【特許文献１】ＥＰ−Ａ−１  ５２３  ６０３
【特許文献２】ＵＳ  ４，６２７，２５１
【発明の概要】
【発明が解決しようとする課題】
【０００４】
本発明は、操作に対するセキュリティをより一層高められる、上述の種類の回転錠シリンダを提供するという目的に基づく。
【課題を解決するための手段】
【０００５】
この目的は、請求項１により達成される。本発明による回転錠シリンダでは、少なくとも２つのタンブラを、セキュリティ・キーによって機械的に制御して、半径方向に異なる方向に整列させる。タンブラを整列させるために、２つのタンブラの１つは慣例のように外側に押される。一般に、複数のこのようなタンブラが、異なる増分で外側に動かされる。それに対し、２つのタンブラのうち少なくとも１つは、整列の際、セキュリティ・キーにより、反対方向すなわち半径方向内側へ動かされる。基本位置では、前記タンブラは好ましくはコアピンによりロータをブロックし、その結果ポジティブ（ｐｏｓｉｔｉｖｅ）にブロックする。前記コアピンは、好ましくは、整列の際、比較的強いバネに逆らって内側に動かされる。このような回転錠シリンダは、操作に対する上述のより高いセキュリティに加えて、セキュリティ・キーの複製防止を高めることも可能である。このようなセキュリティ・キーは、非常に高価な機械を用いてでさえ容易に複製できない。本発明はまた、請求項１に記載の回転錠シリンダのためのセキュリティ・キーに関する。
【０００６】
本発明の発展形では、前記少なくとも２つのタンブラが、ロータのロータ軸を通って延びる１又は２のラジアル平面内にある。従って、タンブラ及びピンの中心軸は、このラジアル平面内にある。この配置は、タンブラとピンをその中心軸に対し回転対称に形成することができ、これにより回転錠シリンダを簡単に、及びとりわけ経済的に製造することができるという利点を有する。ラジアル平面の外側のタンブラの場合のような、位置合わせ又は位置固定は不要である。
【０００７】
本発明の発展形によると、タンブラを整列させるために、タンブラの少なくとも１つを、セキュリティ・キーにより半径方向内側、従って、キー溝の方へ引き込む。しかしながら、タンブラの整列のために、このようなタンブラを１つより多く、キー溝の方へ、セキュリティ・キーによって半径方向内側に引き込むような実施形態も考えることができる。本発明の発展形によると、タンブラの少なくとも１つを、キーの前方先端部でつかんで制御する。しかしながら、原理的には、このようなタンブラを、セキュリティ・キーの先端部から距離を置いて配置することもできる。上述の半径方向内側への動きの他に、まず、タンブラを半径方向外側に動かし、その後連係のために半径方向内側に動かすことも考えられる。
【０００８】
タンブラのコアピンとハウジングピンは、好ましくは、これらの中心軸に関し回転対称的に形成される。従って、タンブラの位置あわせは不要である。
【０００９】
本発明の発展形によると、タンブラの少なくとも１つは、タンブラを整列させるために、セキュリティ・キーの制御手段により、基本位置から半径方向内側へと動かされる。従って、タンブラは、整列の際、半径方向内側に必然的に動かされる。既に述べたように、この動きは、バネの反作用力に逆らって起こる。この場合、基本位置では、コアピンが、前方先端部でキー溝へと突出する。このキー溝は、開ける又は閉じることができる。
【００１０】
本発明の発展形によると、セキュリティ・キーは、別個に製造されセキュリティ・キーに固定される先端部を有する。原理的には、この先端部が別個に製造されないセキュリティ・キーも可能である。
【００１１】
本発明の発展形によると、前記先端部は、セキュリティ・キーの残りの領域より硬い材料から製造される。これは、実質的に、セキュリティ・キーの耐用年数を延ばす。先端部を、例えばスチールから製造して、残りの領域を慣例通りニッケル・シルバー又は他の適切な材料から製造することができる。しかしながら、もちろん、スチールにかえて、他の比較的硬い材料、とりわけ金属を用いることも可能である。
【００１２】
本発明の発展形によると、前記先端部は、セキュリティ・キーに取り外し可能に固定される。先端部は、例えば、ピンを用いて固定することができる。しかしながら、先端部を、原理的にはセキュリティ・キーに固定して接続することもできる。先端部は、特に、交換可能である。
【００１３】
本発明の発展形によると、セキュリティ・キーは、リバーシブル・キー（Ｗｅｎｄｅｓｃｈｌｕｅｓｓｅｌ）であり、それに応じて、回転対称の手段を有し、この手段を用いて、それぞれ、１つのタンブラを、連係の際、内側に引き込むことができる。従って、前記手段は、回転対称的に配置される。この制御手段は、キー胴部及び／又はキー先端部に配置することができる。
【００１４】
前記手段は、例えば、ラジアルカムであり、これを用いて、コアピンを、連係のために内側に引き込めるように制御する。このような制御面又はラジアルカムは、例えば、キー又は先端部の狭い側面の溝内部に配置される。基本的には、キーはまた非リバーシブル・キーであってもよい。
【００１５】
特に好ましくは、セキュリティ・キーのそれぞれエッジ側面（Ｈｏｃｈｋａｎｔｓｅｉｔｅ）に、少なくとも１つのラジアルカムが配置され、これらラジアルカムは互いと同一に形成される。エッジ側面は、この場合、キー胴部の狭い側面である。ラジアルカムは、特に好ましくは、このエッジ側面の中央に配置される。
【００１６】
ラジアルカムは、好ましくは、キー先端部の領域の前方端部及び／又はキー胴部自体に配置される。
【００１７】
ラジアルカムのないセキュリティ・キーは、キー溝内に突出するコアピンを外側に動かし（図１４）、ロータをポジティブにロックし、ブロックする。
【００１８】
本発明の発展形によると、セキュリティ・キーは、少なくとも１つの狭い側面に溝を有し、セキュリティ・キーを押し込むと、この溝の中へとキー溝に突出するコアピンの端部をラジアルカムによって制御することができる。このとき、この溝がラジアルカムを提供する。
【００１９】
本発明の発展形によると、上述の溝は、セキュリティ・キーの前方端部又は先端部に配置される。前記溝は、好ましくは、前方が開いている。
【００２０】
本発明の発展形によると、少なくとも１つのコアピンが、キー溝に突出する内側端部にカラーを有し、このカラーが制御手段を形成し、この手段によって、コアピンがつかまれ、整列させることができる。しかしながら、カラーに変えて、前記コアピンをつかんで制御することのできる他の手段、例えば、カム等も可能である。
【００２１】
本発明の発展形によると、タンブラの少なくとも１つはコアピンを有し、コアピンは、ロータ上に支持され且つコアピンを半径方向外側に位置づける圧縮バネを有する。対応するタンブラは、上記コアピンとハウジングピンからなる。ハウジングピンは、コアピンのバネより十分に弱い圧縮バネにより負荷される。従って、基本位置では、コアピンは、キー溝内及びシリンダハウジング内に所定の長さだけ突出する。よって、基本位置では、コアピンは、シリンダコアをブロックする。残りのタンブラは、シリンダコアとロータをハウジングピンでブロックし、従って、ネガティブにブロックする。前記コアピンは、好ましくは、ほぼマッシュルームの形をしている。コアピンはヘッドを有し、コアピンはこのヘッドでロータの穴においてガイドされる。取り付けのため、コアピンを、２つの部分からなる構成としてもよい。
【図面の簡単な説明】
【００２２】
【図１】図１は、図２のＩ−Ｉ線に沿った、本発明の回転錠シリンダの部分断面図であり、セキュリティ・キーをキー溝に部分的にのみ差し込んだ状態である。
【図２】図２は、回転錠シリンダの正面図である。
【図３】図３は、回転錠シリンダと、図１に示すように、キー溝に完全には差し込まれていない状態の関連のセキュリティ・キーの図であり、慣例のタンブラの１つだけを、点線で示してある。
【図４】図４は、本発明のセキュリティ・キーの三次元図であり、先端部は取り外した状態で示されている。
【図５】図５は、セキュリティ・キーの先端部の異なる図である。
【図６】図６は、セキュリティ・キーを差し込んだ、回転錠シリンダを、長手方向断面図で示す。
【図７】図７は、図１の図であるがキーが差し込まれており、見て分かるように、コアピンは基本位置にあり、同時に係合位置にある。
【図８】図８は、図１の断面図であるが、セキュリティ・キー及びタンブラの位置が（図８〜１１では）異なっており、図１１でこのタンブラは整列しており、セキュリティ・キーは対応して、キー溝に完全に差し込まれている。
【図９】図９は、図１の断面図であるが、セキュリティ・キー及びタンブラの位置が（図８〜１１では）異なっており、図１１でこのタンブラは整列しており、セキュリティ・キーは対応して、キー溝に完全に差し込まれている。
【図１０】図１０は、図１の断面図であるが、セキュリティ・キー及びタンブラの位置が（図８〜１１では）異なっており、図１１でこのタンブラは整列しており、セキュリティ・キーは対応して、キー溝に完全に差し込まれている。
【図１１】図１１は、図１の断面図であるが、セキュリティ・キー及びタンブラの位置が（図８〜１１では）異なっており、図１１でこのタンブラは整列しており、セキュリティ・キーは対応して、キー溝に完全に差し込まれている。
【図１２】図１２は、図６の断面図であるが、ここではセキュリティ・キーが回転錠シリンダに完全に差し込まれている。
【図１３】図１３は、本発明によるものではないセキュリティ・キーを備えた、本発明による回転錠シリンダの長手方向断面図である。
【図１４】図１４は、図１３の拡大部分断面図である。
【図１５】図１５は、回転錠シリンダのさらなる実施形態の図である。
【発明を実施するための形態】
【００２３】
本発明の例示の実施形態を、図を参照してより詳細に以下で説明する。
【００２４】
図１〜３に示される回転錠シリンダ２は、キー溝１１を備えたロータ３を有し、この溝に、図３により、セキュリティ・キー１の胴部９が、矢印３７の方向に部分的に差し込まれている。回転錠シリンダ２は、多数のタンブラ２３を有し、タンブラはここではただ単に点線によって示されており、各タンブラは、慣例通り、図６により、コアピン２６とハウジングピン２５を有する。ハウジングピン２５は、圧縮バネ２４により負荷される。このようなタンブラ２３は、一般的に公知であり、ここでは具体的に説明する必要はない。前記タンブラ２３を整列させるために、セキュリティ・キー１は対応する制御面、例えば、穴内の制御面を有し、これにより、タンブラ２３はそれぞれ、半径方向外側に押されて、ロータ３を解放する。セキュリティ・キー１は、好ましくはリバーシブル・キーであるが、非リバーシブル・キー、例えば歯付きキーであってもよい。
【００２５】
回転錠シリンダ２は、少なくとも１つの、本発明に不可欠であるさらなるタンブラ５を有する。前記タンブラは同様に、図１により、コアピン６とハウジングピン７を有する。タンブラ５は、半径方向の穴３０又は３１に取り付けられる。見て分かるように、穴３０は、段のある穴である。ハウジングピン７は、ハウジング４上で支えられるハウジングピンバネ２７により負荷される。はぼマッシュルーム形のコアピン６は、穴３０内に移動可能に取り付けられるコアピンバネ２８により位置づけられる。ハウジングピンバネ２７は、コアピンバネ２８より十分に弱く、その結果、基本位置において、図１及び３のコアピン６の前方端部３８は、キー溝１１へと突出する。前記前方端部３８は、端部側に周辺カラー２９を有する。図１に示す基本位置では、ロータ３はコアピン６で、従ってポジティブにブロックされる。タンブラ２３及び５の全てがセキュリティ・キー１により整列させられると、ロータ３を、図２に示すＡ軸の周りにセキュリティ・キー１によって回すことができる。
【００２６】
図１では、コアピンバネ２８は最大に伸長した状態にあり、これは、最大に伸長したときにコアピン６がブロック位置にあるように選択される。ハウジングピンバネ２７は、セキュリティバネとも呼べ、ハウジングピン７がコアピン６と常に接触することを保証する。コアピンを攻撃しようとして、キー溝にあまりにも引っ張りすぎると、ハウジングピンバネ２７がハウジングピン７をロータ３へと押し込み、ロータをブロックする。
【００２７】
胴部９がキー溝１１に差し込まれると、既に説明したように、タンブラ２３は、押されることによって、通常の方法で整列される。タンブラ５を整列させるために、キー先端部１０（以下でより詳細に説明する）が、胴部９の前方端部に配置される。
【００２８】
さらに、ラジアル平面Ｒ１及びＲ２を図２に示す。ラジアル平面Ｒ１及びＲ２は、ロータ３の中心軸又は回転軸を通って延びる。タンブラ５，２３は、セキュリティ・キー１によって、半径方向に異なる方向に整列させることができる。半径方向にとは、タンブラ５，２３がラジアル平面Ｒ１，Ｒ２上にその中心軸を置き、その結果、ラジアル平面Ｒ１，Ｒ２で移動可能であることを意味すると理解されるべきである。前記タンブラ５，２３は、その中心軸に対し回転対称的に形成されており、そのために、タンブラ５，２３は、前記中心軸の周りのアライメントに関しては、位置的に正確に配置しなくてもよい。
【００２９】
図４によると、先端部１０は、固定ピン１３を用いて、キーの胴部９の固定タブ１２に取り外し可能に固定される。固定タブ１２を受け入れるために、キー先端部１０は凹所１６を有する。ピン１３は、キー先端部１０の穴１５に、及び固定タブ１２の穴１４に差し込まれる。従って、この場合、キー先端部１０は、交換可能である。しかしながら、キー先端部を胴部９に固定して接続することもできるし、胴部９から直接加工することもできる。
【００３０】
図５が示すように、キー先端部１０はまた端面１７を有し、この面には、それ自体は普通の斜面１８がそれぞれ側方に隣接する。
【００３１】
この斜面１８には、溝２０が続き、この溝は胴部９の狭い側面に配置され、実質的に胴部９の長手方向に延びる。それぞれ内側に制御面２２を有する２つの対向する制御部分２１（図５）が、それぞれ溝２０に突出する。溝２０の幅は、前方端部２８の幅とカラー２９に適合する。前方端部３８は、図７によると、溝２０によってつかむことができる。図７のセキュリティ・キー１がさらに右へと押されると、コアピン６の前方端部３８は、カラー２９でつかまれて制御される。コアピンバネ２８は、この過程で張力を受け、一方、ハウジングバネ２７は緩められる。タンブラを整列させる間、コアピン６とハウジングピン７は、張力を受けて互いに当接する。コアピン６は、比較的強いコアピンバネ２８により機械的に位置づけられるため、例えば、衝撃又は振動又は他の操作により動かすことができない。従って、セキュリティ・キー１によって制御される動きがコントロールされる。この制御により、コアピン６、及びコアピン６と共にハウジングピン７が、図７に示される位置から内側に動かされ、その結果、整列される。見て分かるように、図７の位置では、コアピン６はロータ３をブロックする。この制御、又はコアピン６の半径方向の動きにより、前記ブロックが取り除かれ、その結果ロータ３を最終的に回すことができる。この動きの個々の過程を、図８から１１に図示する。
【００３２】
図８は、図７に既に示した位置でのコアピン６の位置を示す。セキュリティ・キー１がさらにキー溝１１に押し込まれると、コアピン６は内側に引っぱられ、その結果、コアピンバネ２８が圧縮される。図９では、コアピン６がロータ３をブロックし続ける。セキュリティ・キー１がキー溝１１へさらに押し込まれると、コアピン６は図１０の位置に達する。コアピン６は、ここで整列され、もはやロータをブロックしない。ハウジングピン７は、ハウジングピンバネ２７の力により、コアピン６の半径方向の動きの間コアピンに当接する。最後に、セキュリティ・キー１は、図１１及び１２に示す最終位置へと押し込まれる。この際、セキュリティ・キー１は、通常のように（ここには図示しない）ロータヘッドに当接する。タンブラ５と残りのタンブラ２３は、このとき整列しており、ロータ３を回すことができる。同時に、ロータ３により、それ自体公知の方法でボルトを作動する伝達機構３５（図１）が回される。
【００３３】
図示した方法で、セキュリティ・キー１により、同時に、２つの対向するタンブラ５を整列させることができる。原理的には、タンブラ５を端面１７からさらに離した実施形態も可能である。このようなタンブラを２より多く設けることもできる。見てとれるように、セキュリティ・キー１はいわゆるリバーシブル・キーであるが、これは強制的ではない。
【００３４】
図１３及び１４は、回転錠シリンダ２を示すが、ここでは、シリンダ内に、通常のキー胴部９を有し、キー先端部１０が存在しないか又は通常通り形成されるセキュリティ・キー１’が挿入される。タンブラ５は、前記キー１’により完全に外側に動かされ、その結果カラー２９が凹所３４に入る。コアピン６が外側に押されロータ３をブロックする。従って、ロータはセキュリティ・キー１’によって回すことができず、それにより関連のロックを開けることができない。このことは、通常のタンブラ２４が整列されるときでさえ当てはまる。セキュリティ・キー１’が引き抜かれると、タンブラ５は図１に示す基本位置へと再び動かされる。この基本位置において、コアピン６はロータ３をブロックする。キー胴部９’が回転錠シリンダ２から引き抜かれると、タンブラ５がハウジングバネ５の力によって図１の基本位置へと動かされる。コアピン６は、慣例により、適切な金属、例えばスチール等から製造することができる。取り付けをより簡単にするため、前記コアピンを多数の部分から形成することができる。前方部分３８は、例えばヘッド形の部分に挿入してはんだ付けすることもできる。回転錠シリンダ２はシングルシリンダであってもダブルロックシリンダであってもよい。これはまた、電子機械式の回転錠シリンダとして構成することもできる。
【００３５】
回転錠シリンダ２及びセキュリティ・キー１のさらなる実施形態を図１５に示す。同一の部分には同じ参照番号を付す。先に示した実施形態との主な違いは、制御面２２の位置決めである。この場合、制御面２２は、キー先端部１０の領域にではなく、キー胴部９の領域に配置される。この配置はまた、制御面２２に対応するタンブラ５を同様に異なる位置に配置することになる。
【００３６】
ラジアルカム２２は、ここでは、キー胴部９に配置される凹所又は溝２０の一部である。ラジアルカムは、同じく、キー胴部９のエッジ側面の両側に配置される。
【００３７】
セキュリティ・キー１がキー溝１１に押し込まれると、タンブラ５のハウジングピン７とコアピン６は、第１の過程で、ハウジングピンバネ２７の作用に逆らって、ラジアル平面Ｒ１において、半径方向外側に動かされる。凹所２０がタンブラ５と同じ高さにくるや否や、前記タンブラが、ハウジングピンバネ２７の作用により凹所２０に押し込まれ、この凹所内でコアピン６がその後ラジアルカム２２と接触し、その結果タンブラ５が整列される。
【００３８】
セキュリティ・キー１が引き抜かれると、タンブラ５はコアピンバネ２８の作用により半径方向外側に、コアピン６が完全にキー溝１１を離れるまで動かされる。
【００３９】
さらなる実施形態では、複数のタンブラ５と複数のマッチするラジアルカム２２を配置することも考えられ、それにより、ロック順列（Ｐｅｒｍｕｔａｔｉｏｎ）を増やすことができる。この場合、ラジアルカム２２はキー胴部９及びキー先端部１０に配置することができる。
【符号の説明】
【００４０】
１      セキュリティ・キー
２      回転錠シリンダ
３      ロータ
４      ハウジング
５      タンブラ
６      コアピン
７      ハウジングピン
８      キー取っ手部
９      キー胴部
１０    キー先端部
１１    キー溝
１２    固定タブ
１３    固定ピン
１４    穴
１５    穴
１６    凹所
１７    端面
１８    斜面
１９    側面
２０    溝
２１    制御部分
２２    制御面
２３    タンブラ
２４    バネ
２５    ハウジングピン
２６    コアピン
２７    ハウジングピンバネ
２８    コアピンバネ
２９    カラー
３０    穴
３１    穴
３２    面
３３    面
３４    凹所
３５    伝達機構
３６    ストップ
３７    矢印
３８    前方端部
３９    側面
Ｒ１    ラジアル平面
Ｒ２    ラジアル平面
Ａ      ロータ軸
【図１】
2014527132.tif 000003
【図２】
2014527132.tif 000004
【図３】
2014527132.tif 000005
【図４】
2014527132.tif 000006
【図５】
2014527132.tif 000007
【図６】
2014527132.tif 000008
【図７】
2014527132.tif 000009
【図８】
2014527132.tif 000010
【図９】
2014527132.tif 000011
【図１０】
2014527132.tif 000012
【図１１】
2014527132.tif 000013
【図１２】
2014527132.tif 000014
【図１３】
2014527132.tif 000015
【図１４】
2014527132.tif 000016
【図１５】
2014527132.tif 000017
【国際調査報告】
2014527132.tif 000018
2014527132.tif 000019
2014527132.tif 000020
2014527132.tif 000021
2014527132.tif 000022